(57)【要約】【課題】ウエアラブルデバイスの小型化および薄型化を達成すると共に接続時に身体にかかる負荷を軽減することができ、さらに水の浸入を防止することができるスライド型コネクタを提供する。【解決手段】衣服側コネクタ部１１にモジュール側コネクタ部３１を重ね合わせ、嵌合面に沿って回転スライドさせることで、モジュール側コネクタ部３１の複数のバネ状の第２コンタクトが衣服側コネクタ部１１の複数の板状の第１コンタクトにそれぞれ接触して電気的に接続され、モジュール側コネクタ部３１の被ロック部が衣服側コネクタ部１１のロック面に接触して、モジュール側コネクタ部３１が衣服側コネクタ部１１に嵌合すると共に、衣服側コネクタ部１１の第１の防水部材がモジュール側コネクタ部３１により圧縮されて複数の第１コンタクトと複数の第２コンタクトの接触部分への水の浸入が防止される。【選択図】  図１
2018101503.tif 000002
【特許請求の範囲】
【請求項１】
衣服に装着されたウエアラブルデバイスにモジュールを電気的に接続するためのスライド型コネクタであって、
衣服に取り付けられる衣服側コネクタ部と、嵌合面上で前記衣服側コネクタ部に嵌合するモジュール側コネクタ部とを備え、
前記衣服側コネクタ部は、前記嵌合面に沿って延びる衣服側コネクタ本体と、前記衣服側コネクタ本体に配置され且つそれぞれ前記嵌合面に平行な接触面を有する複数の板状の第１コンタクトと、前記衣服側コネクタ本体の前記嵌合面上に配置されて前記複数の第１コンタクトの前記接触面を囲むように閉じられた形状を有し且つ弾性変形可能な第１の防水部材と、前記衣服側コネクタ本体に配置され且つロック面を有するロック部とを有し、
前記モジュール側コネクタ部は、前記嵌合面に沿って延びるモジュール側コネクタ本体と、前記モジュール側コネクタ本体に配置されると共に前記衣服側コネクタ部の前記複数の板状の第１コンタクトに対応し且つそれぞれ前記嵌合面に直交する方向に変位可能な接触部を有する複数のバネ状の第２コンタクトと、前記モジュール側コネクタ本体に配置された被ロック部とを有し、
前記モジュール側コネクタ部を前記衣服側コネクタ部に重ね合わせて第１の位置から第２の位置まで前記嵌合面に沿ってスライドさせることにより、前記複数の第２コンタクトの前記接触部が前記複数の第１コンタクトの前記接触面にそれぞれ接触して電気的に接続され、前記被ロック部が前記ロック部の前記ロック面に接触して、前記モジュール側コネクタ部が前記衣服側コネクタ部に嵌合すると共に、前記第１の防水部材が弾性的に圧縮されて前記複数の第１コンタクトの前記接触面と前記複数の第２コンタクトの前記接触部への水の浸入が防止されることを特徴とするスライド型コネクタ。
【請求項２】
衣服に装着されたウエアラブルデバイスにモジュールを電気的に接続するためのスライド型コネクタであって、
衣服に取り付けられる衣服側コネクタ部と、嵌合面上で前記衣服側コネクタ部に嵌合するモジュール側コネクタ部とを備え、
前記衣服側コネクタ部は、前記嵌合面に沿って延びる衣服側コネクタ本体と、前記衣服側コネクタ本体に配置され且つそれぞれ前記嵌合面に平行な接触面を有する複数の板状の第１コンタクトと、前記衣服側コネクタ本体に配置され且つロック面を有するロック部とを有し、
前記モジュール側コネクタ部は、前記嵌合面に沿って延びるモジュール側コネクタ本体と、前記モジュール側コネクタ本体に配置されると共に前記衣服側コネクタ部の前記複数の板状の第１コンタクトに対応し且つそれぞれ前記嵌合面に直交する方向に変位可能な接触部を有する複数のバネ状の第２コンタクトと、前記モジュール側コネクタ本体の前記嵌合面上に配置されて前記複数の第２コンタクトを囲むように閉じられた形状を有し且つ弾性変形可能な第２の防水部材と、前記モジュール側コネクタ本体に配置された被ロック部とを有し、
前記モジュール側コネクタ部を前記衣服側コネクタ部に重ね合わせて第１の位置から第２の位置まで前記嵌合面に沿ってスライドさせることにより、前記複数の第２コンタクトの前記接触部が前記複数の第１コンタクトの前記接触面にそれぞれ接触して電気的に接続され、前記被ロック部が前記ロック部の前記ロック面に接触して、前記モジュール側コネクタ部が前記衣服側コネクタ部に嵌合すると共に、前記第２の防水部材が弾性的に圧縮されて前記複数の第１コンタクトの前記接触面と前記複数の第２コンタクトの前記接触部への水の浸入が防止されることを特徴とするスライド型コネクタ。
【請求項３】
前記衣服側コネクタ部は、前記ロック面に連続し且つ前記嵌合面に対して傾斜するガイド面を有し、
前記モジュール側コネクタ部を前記衣服側コネクタ部に重ね合わせて前記第１の位置から前記第２の位置まで前記嵌合面に沿ってスライドさせると、前記被ロック部が前記ガイド面に接触することで、前記モジュール側コネクタ本体が前記衣服側コネクタ本体に向けて押しつけられた後、前記被ロック部が前記ロック面に接触する請求項１または２に記載のスライド型コネクタ。
【請求項４】
前記複数の第１コンタクトは、それぞれ、前記接触面に連続して接続され且つ前記接触面よりも前記モジュール側コネクタ部から離れる方向に傾斜する傾斜面を有し、
前記モジュール側コネクタ部が前記第１の位置に位置するときには、前記複数の第２コンタクトは前記複数の第１コンタクトに接触せず、前記モジュール側コネクタ部を前記第１の位置から前記第２の位置に向けて前記嵌合面に平行にスライドさせる際に、前記複数の第２コンタクトの前記接触部は前記複数の第１コンタクトの前記傾斜面に接触した後、前記嵌合面に直交する方向に変位しながら前記複数の第１コンタクトの前記接触面に接触する請求項１〜３のいずれか一項に記載のスライド型コネクタ。
【請求項５】
前記ロック部は、前記複数の第１コンタクトの前記接触面よりも前記衣服側コネクタ部の外縁側に配置され、
前記被ロック部は、前記複数の第２コンタクトの前記接触部よりも前記モジュール側コネクタ部の外縁側に配置されている請求項１〜４のいずれか一項に記載のスライド型コネクタ。
【請求項６】
前記複数の第１コンタクトおよび前記複数の第２コンタクトは、それぞれ、前記嵌合面に平行な面上に円または円弧を描くように配列され、
前記モジュール側コネクタ部を前記衣服側コネクタ部に対して前記円または前記円弧の中心の回りに回転スライドさせることにより、前記モジュール側コネクタ部が前記衣服側コネクタ部に嵌合する請求項１〜５のいずれか一項に記載のスライド型コネクタ。
【請求項７】
前記複数の第１コンタクトおよび前記複数の第２コンタクトは、それぞれ、前記嵌合面に平行な面上に直線状に配列され、
前記モジュール側コネクタ部を前記衣服側コネクタ部に対して直線的にスライドさせることにより、前記モジュール側コネクタ部が前記衣服側コネクタ部に嵌合する請求項１〜５のいずれか一項に記載のスライド型コネクタ。
【請求項８】
前記衣服側コネクタ本体は、前記嵌合面を形成する衣服側基準面を有し且つ前記衣服側基準面から前記接触面が露出するように前記複数の第１コンタクトを保持するベース部材と、中央に開口部が形成された枠形状を有して前記ベース部材の前記衣服側基準面との間に前記衣服が有する複数の配線部材を挟んだ状態で前記ベース部材の前記衣服側基準面の外縁に取り付けられ且つ前記ベース部材の前記衣服側基準面に対向する前記ロック面が形成された枠部材とを有し、
前記複数の第１コンタクトの前記接触面は、前記枠部材の前記開口部を通して露出され、
前記ベース部材の前記衣服側基準面と前記ロック面により前記ロック部が形成され、
前記モジュール側コネクタ部は、前記枠部材の前記開口部内で前記ベース部材の前記衣服側基準面に沿ってスライドする請求項１〜７のいずれか一項に記載のスライド型コネクタ。
【請求項９】
前記複数の第１コンタクトは、それぞれ、前記ベース部材の外縁まで延びる外部接続部を有し、
前記複数の配線部材は、前記ベース部材の前記衣服側基準面と前記枠部材との間に挟まれることで、前記複数の第１コンタクトの前記外部接続部に接触して電気的に接続される請求項８に記載のスライド型コネクタ。
【請求項１０】
前記モジュール側コネクタ部は、前記複数の第２コンタクトを互いに区分する第３の防水部材を有する請求項１〜９のいずれか一項に記載のスライド型コネクタ。
【請求項１１】
前記モジュール側コネクタ部は、前記複数の第２コンタクトが実装される基板を有し、
前記モジュール側コネクタ本体は、前記嵌合面を形成するモジュール側基準面を有し且つ前記モジュール側基準面から前記接触部が露出するように前記基板を保持すると共に外周部に前記被ロック部が突出形成されたモジュールケースを有し、
前記第３の防水部材は、前記基板と前記モジュールケースとの間に挟まれている請求項１０に記載のスライド型コネクタ。
【発明の詳細な説明】
【技術分野】
【０００１】
この発明は、スライド型コネクタに係り、特に、ウエアラブルデバイスに接続されるスライド型コネクタに関する。
【背景技術】
【０００２】
近年、各種センサ、通信装置等の端末機器をユーザの身体に装着した状態で動作させる、いわゆるウエアラブルデバイスが注目を浴びている。このウエアラブルデバイスでは、検出した情報を送出したり、電力の供給を受けるために、例えば、測定装置、電源装置等のデバイスに電気的に接続して使用される。この接続は、衣服に取り付けられたコネクタを介して行うことができるが、ウエアラブルデバイスの着脱時および衣服の洗濯時等には、コネクタによる接続を切り離す必要がある。
このため、例えば、特許文献１に開示されているように、スナップボタン型コネクタを用いてデバイス間の接続が行われている。
【０００３】
特許文献１に開示されたスナップボタン型コネクタは、図４４に示されるように、第１の布１に取り付けられた雄型スナップボタン２と、第２の布３に取り付けられた雌型スナップボタン４を有している。第１の布１および第２の布３は、導電性を有する布から構成され、雄型スナップボタン２および雌型スナップボタン４は、導電性を有する材料から形成されている。雄型スナップボタン２の凸部５が、雌型スナップボタン４の凹部６に挿入されて雌型スナップボタン４の２本の棒状ばね７で押さえられることにより、雄型スナップボタン２と雌型スナップボタン４が互いに電気的に接続され、これら雄型スナップボタン２および雌型スナップボタン４を介して第１の布１と第２の布３が互いに電気的に接続されることとなる。
【０００４】
このようなスナップボタン型コネクタを用いてウエアラブルデバイスの接続を行うことができ、また、ウエアラブルデバイスの着脱時および衣服の洗濯時等には、雄型スナップボタン２を雌型スナップボタン４から取り外してスナップボタン型コネクタによる接続を切り離すことができる。
【先行技術文献】
【特許文献】
【０００５】
【特許文献１】特開２０１５−１３５７２３号公報
【発明の概要】
【発明が解決しようとする課題】
【０００６】
しかしながら、特許文献１のスナップボタン型コネクタは、雄型スナップボタン２の全体および雌型スナップボタン４の全体が、それぞれ１つの電極として機能するため、複数の配線を接続しようとすると、配線数と同数のスナップボタン型コネクタを衣服に取り付けなければならず、ウエアラブルデバイスの小型化を損なうこととなる。
また、第１の布１と第２の布３を電気的に接続するものであるため、コネクタは薄型であることが必要となるが、特許文献１のスナップボタン型コネクタは、雄型スナップボタン２の凸部５を雌型スナップボタン４の凹部６に、衣服の表面とは直交する方向に嵌め込む構造を有しているので、薄型にするには不利な構造である。
【０００７】
さらに、第１の布１と第２の布３を電気的に接続する際には、衣服の上から身体に向かって雄型スナップボタン２あるいは雌型スナップボタン４を強く押し付ける必要があるため、身体に負荷がかかって不便である。
また、特許文献１のスナップボタン型コネクタは、衣服に取り付けて使用されるコネクタであるにもかかわらず、防水構造を有していないため、雄型スナップボタン２の凸部５と雌型スナップボタン４の凹部６の接点部分に水が浸入するおそれがある。従って、生活環境でのわずかな浸水であっても、水滴が付着することにより接点部分の短絡が生じやすいという問題がある。
【０００８】
この発明は、このような従来の問題点を解消するためになされたもので、ウエアラブルデバイスの小型化および薄型化を達成すると共に接続時に身体にかかる負荷を軽減することができ、さらに水の浸入を防止することができるスライド型コネクタを提供することを目的とする。
【課題を解決するための手段】
【０００９】
この発明に係る第１のスライド型コネクタは、衣服に装着されたウエアラブルデバイスにモジュールを電気的に接続するためのスライド型コネクタであって、衣服に取り付けられる衣服側コネクタ部と、嵌合面上で衣服側コネクタ部に嵌合するモジュール側コネクタ部とを備え、衣服側コネクタ部は、嵌合面に沿って延びる衣服側コネクタ本体と、衣服側コネクタ本体に配置され且つそれぞれ嵌合面に平行な接触面を有する複数の板状の第１コンタクトと、衣服側コネクタ本体の嵌合面上に配置されて複数の第１コンタクトの接触面を囲むように閉じられた形状を有し且つ弾性変形可能な第１の防水部材と、衣服側コネクタ本体に配置され且つロック面を有するロック部とを有し、モジュール側コネクタ部は、嵌合面に沿って延びるモジュール側コネクタ本体と、モジュール側コネクタ本体に配置されると共に衣服側コネクタ部の複数の板状の第１コンタクトに対応し且つそれぞれ嵌合面に直交する方向に変位可能な接触部を有する複数のバネ状の第２コンタクトと、モジュール側コネクタ本体に配置された被ロック部とを有し、モジュール側コネクタ部を衣服側コネクタ部に重ね合わせて第１の位置から第２の位置まで嵌合面に沿ってスライドさせることにより、複数の第２コンタクトの接触部が複数の第１コンタクトの接触面にそれぞれ接触して電気的に接続され、被ロック部がロック部のロック面に接触して、モジュール側コネクタ部が衣服側コネクタ部に嵌合すると共に、第１の防水部材が弾性的に圧縮されて複数の第１コンタクトの接触面と複数の第２コンタクトの接触部への水の浸入が防止されるものである。
【００１０】
この発明に係る第２のスライド型コネクタは、衣服に装着されたウエアラブルデバイスにモジュールを電気的に接続するためのスライド型コネクタであって、衣服に取り付けられる衣服側コネクタ部と、嵌合面上で衣服側コネクタ部に嵌合するモジュール側コネクタ部とを備え、衣服側コネクタ部は、嵌合面に沿って延びる衣服側コネクタ本体と、衣服側コネクタ本体に配置され且つそれぞれ嵌合面に平行な接触面を有する複数の板状の第１コンタクトと、衣服側コネクタ本体に配置され且つロック面を有するロック部とを有し、モジュール側コネクタ部は、嵌合面に沿って延びるモジュール側コネクタ本体と、モジュール側コネクタ本体に配置されると共に衣服側コネクタ部の複数の板状の第１コンタクトに対応し且つそれぞれ嵌合面に直交する方向に変位可能な接触部を有する複数のバネ状の第２コンタクトと、モジュール側コネクタ本体の嵌合面上に配置されて複数の第２コンタクトを囲むように閉じられた形状を有し且つ弾性変形可能な第２の防水部材と、モジュール側コネクタ本体に配置された被ロック部とを有し、モジュール側コネクタ部を衣服側コネクタ部に重ね合わせて第１の位置から第２の位置まで嵌合面に沿ってスライドさせることにより、複数の第２コンタクトの接触部が複数の第１コンタクトの接触面にそれぞれ接触して電気的に接続され、被ロック部がロック部のロック面に接触して、モジュール側コネクタ部が衣服側コネクタ部に嵌合すると共に、第２の防水部材が弾性的に圧縮されて複数の第１コンタクトの接触面と複数の第２コンタクトの接触部への水の浸入が防止されるものである。
【００１１】
好ましくは、衣服側コネクタ部は、ロック面に連続し且つ嵌合面に対して傾斜するガイド面を有し、モジュール側コネクタ部を衣服側コネクタ部に重ね合わせて第１の位置から第２の位置まで嵌合面に沿ってスライドさせると、被ロック部がガイド面に接触することで、モジュール側コネクタ本体が衣服側コネクタ本体に向けて押しつけられた後、被ロック部がロック面に接触する。
複数の第１コンタクトは、それぞれ、接触面に連続して接続され且つ接触面よりもモジュール側コネクタ部から離れる方向に傾斜する傾斜面を有し、モジュール側コネクタ部が第１の位置に位置するときには、複数の第２コンタクトは複数の第１コンタクトに接触せず、モジュール側コネクタ部を第１の位置から第２の位置に向けて嵌合面に平行にスライドさせる際に、複数の第２コンタクトの接触部は複数の第１コンタクトの傾斜面に接触した後、嵌合面に直交する方向に変位しながら複数の第１コンタクトの接触面に接触することが好ましい。
また、ロック部は、複数の第１コンタクトの接触面よりも衣服側コネクタ部の外縁側に配置され、被ロック部は、複数の第２コンタクトの接触部よりもモジュール側コネクタ部の外縁側に配置されていることが好ましい。
【００１２】
複数の第１コンタクトおよび複数の第２コンタクトは、それぞれ、嵌合面に平行な面上に円または円弧を描くように配列され、モジュール側コネクタ部を衣服側コネクタ部に対して円または円弧の中心の回りに回転スライドさせることにより、モジュール側コネクタ部が衣服側コネクタ部に嵌合するように構成することができる。
あるいは、複数の第１コンタクトおよび複数の第２コンタクトは、それぞれ、嵌合面に平行な面上に直線状に配列され、モジュール側コネクタ部を衣服側コネクタ部に対して直線的にスライドさせることにより、モジュール側コネクタ部が衣服側コネクタ部に嵌合するように構成することもできる。
【００１３】
好ましくは、衣服側コネクタ本体は、嵌合面を形成する衣服側基準面を有し且つ衣服側基準面から接触面が露出するように複数の第１コンタクトを保持するベース部材と、中央に開口部が形成された枠形状を有してベース部材の衣服側基準面との間に衣服が有する複数の配線部材を挟んだ状態でベース部材の衣服側基準面の外縁に取り付けられ且つベース部材の衣服側基準面に対向するロック面が形成された枠部材とを有し、複数の第１コンタクトの接触面は、枠部材の開口部を通して露出され、ベース部材の衣服側基準面とロック面によりロック部が形成され、モジュール側コネクタ部は、枠部材の開口部内でベース部材の衣服側基準面に沿ってスライドする。
複数の第１コンタクトは、それぞれベース部材の外縁まで延びる外部接続部を有し、複数の配線部材は、ベース部材の衣服側基準面と枠部材との間に挟まれることで、複数の第１コンタクトの外部接続部に接触して電気的に接続されることが好ましい。
【００１４】
モジュール側コネクタ部は、複数の第２コンタクトを互いに区分する第３の防水部材を有することが好ましい。
また、モジュール側コネクタ部は、複数の第２コンタクトが実装される基板を有し、モジュール側コネクタ本体は、嵌合面を形成するモジュール側基準面を有し且つモジュール側基準面から接触部が露出するように基板を保持すると共に外周部に被ロック部が突出形成されたモジュールケースを有し、第３の防水部材は、基板とモジュールケースとの間に挟まれるように構成することができる。
【発明の効果】
【００１５】
この発明によれば、モジュール側コネクタ部を衣服側コネクタ部に重ね合わせて第１の位置から第２の位置まで嵌合面に沿ってスライドさせることで、モジュール側コネクタ部の複数のバネ状の第２コンタクトの接触部が衣服側コネクタ部の複数の板状の第１コンタクトの接触面にそれぞれ接触して電気的に接続され、モジュール側コネクタ部の被ロック部が衣服側コネクタ部のロック部のロック面に接触して、モジュール側コネクタ部が衣服側コネクタ部に嵌合すると共に、第１の防水部材または第２の防水部材が弾性的に圧縮されるので、ウエアラブルデバイスの小型化および薄型化を達成すると共に接続時に身体にかかる負荷を軽減し、さらに水の浸入を防止することが可能となる。
【図面の簡単な説明】
【００１６】
【図１】嵌合前の実施の形態１に係るスライド型コネクタを示す斜視図である。
【図２】実施の形態１に係るスライド型コネクタに用いられた衣服側コネクタ部を示す平面図である。
【図３】実施の形態１に係るスライド型コネクタに用いられた衣服側コネクタ部を示す側面図である。
【図４】実施の形態１における衣服側コネクタ部のベース部材を示す斜視図である。
【図５】実施の形態１における衣服側コネクタ部のベース部材に保持される第１コンタクトを示す拡大斜視図である。
【図６】第１コンタクトを示す拡大側面図である。
【図７】実施の形態１における衣服側コネクタ部の第１の防水部材を示す断面図である。
【図８】キャリアに連結された複数の第１コンタクトを示す斜視図である。
【図９】キャリアに連結された複数の第１コンタクトに衣服側コネクタ部のベース部材を成形した状態を示す平面図である。
【図１０】実施の形態１における衣服側コネクタ部の枠部材を示す斜視図である。
【図１１】実施の形態１における衣服側コネクタ部の枠部材を示す底面図である。
【図１２】実施の形態１における衣服側コネクタ部の分解斜視図である。
【図１３】実施の形態１におけるモジュール側コネクタ部を示す側面図である。
【図１４】実施の形態１におけるモジュール側コネクタ部を示す底面図である。
【図１５】実施の形態１におけるモジュール側コネクタ部のモジュールケースを示す斜視図である。
【図１６】実施の形態１におけるモジュール側コネクタ部のモジュールケースを示す平面図である。
【図１７】実施の形態１におけるモジュール側コネクタ部の分解斜視図である。
【図１８】実施の形態１におけるモジュール側コネクタ部に取り付けられた第２コンタクトを示す断面図である。
【図１９】実施の形態１においてモジュール側コネクタ部を衣服側コネクタ部に重ね合わせた状態を示す斜視図である。
【図２０】実施の形態１においてモジュール側コネクタ部を衣服側コネクタ部に重ね合わせたときの第１コンタクトと第２コンタクトの位置関係を示す部分断面図である。
【図２１】実施の形態１においてモジュール側コネクタ部を衣服側コネクタ部に重ね合わせたときのロック部と被ロック部の位置関係を示す部分断面図である。
【図２２】嵌合時の実施の形態１に係るスライド型コネクタを示す斜視図である。
【図２３】実施の形態１における嵌合時の第１コンタクトと第２コンタクトの位置関係を示す部分断面図である。
【図２４】実施の形態１における嵌合時のロック部と被ロック部の位置関係を示す部分断面図である。
【図２５】嵌合前の実施の形態２に係るスライド型コネクタを示す斜視図である。
【図２６】実施の形態２で用いられた第１コンタクトを示す拡大斜視図である。
【図２７】実施の形態２で用いられた第１コンタクトを示す拡大側面図である。
【図２８】実施の形態２に係るスライド型コネクタのモジュール側コネクタ部を底面側から見た斜視図である。
【図２９】実施の形態２に係るスライド型コネクタのモジュール側コネクタ部を示す底面図である。
【図３０】実施の形態２に係るスライド型コネクタのモジュール側コネクタ部を示す側面図である。
【図３１】実施の形態２においてモジュール側コネクタ部を衣服側コネクタ部に重ね合わせたときの第１コンタクトと第２コンタクトの位置関係を示す部分断面図である。
【図３２】実施の形態２においてモジュール側コネクタ部を衣服側コネクタ部に重ね合わせたときのロック部と被ロック部の位置関係を示す部分断面図である。
【図３３】実施の形態２における嵌合時の第１コンタクトと第２コンタクトの位置関係を示す部分断面図である。
【図３４】実施の形態２における嵌合時のロック部と被ロック部の位置関係を示す部分断面図である。
【図３５】実施の形態３に係るスライド型コネクタに用いられた衣服側コネクタ部を示す平面図である。
【図３６】実施の形態３に係るスライド型コネクタに用いられたモジュール側コネクタ部を示す底面図である。
【図３７】実施の形態３に係るスライド型コネクタに用いられたモジュール側コネクタ部を示す側面図である。
【図３８】実施の形態４に係るスライド型コネクタに用いられたモジュール側コネクタ部を示す底面図である。
【図３９】実施の形態４に係るスライド型コネクタに用いられたモジュール側コネクタ部を示す側面図である。
【図４０】嵌合前の実施の形態５に係るスライド型コネクタを示す斜視図である。
【図４１】実施の形態５に係るスライド型コネクタに用いられたモジュール側コネクタ部を底面側から見た斜視図である。
【図４２】実施の形態５において互いに重ね合わされたモジュール側コネクタ部および衣服側コネクタ部を示す平面図である。
【図４３】実施の形態５において互いに嵌合されたモジュール側コネクタ部および衣服側コネクタ部を示す平面図である。
【図４４】従来のスナップボタン型コネクタを示す断面図である。
【発明を実施するための形態】
【００１７】
以下、この発明の実施の形態を添付図面に基づいて説明する。
実施の形態１
図１に実施の形態１に係るスライド型コネクタの構成を示す。スライド型コネクタは、衣服に取り付けられる衣服側コネクタ部１１と、衣服側コネクタ部１１に嵌合するモジュール側コネクタ部３１を備えている。
【００１８】
図２および図３に示されるように、衣服側コネクタ部１１は、円板形状の衣服側コネクタ本体１２と、衣服側コネクタ本体１２に配置された複数の第１コンタクト１３と、衣服側コネクタ本体１２に形成された複数のロック部１４と、衣服側コネクタ本体１２に配置された環状の第１の防水部材Ｗ１を有している。
衣服側コネクタ本体１２は、円板形状のベース部材１５と枠部材１６から構成されている。ベース部材１５の表面により、衣服側基準面１５Ａが形成されており、衣服側基準面１５Ａの外縁に枠部材１６が取り付けられている。枠部材１６は、中央に開口部１７が形成された円形の枠形状を有し、複数の第１コンタクト１３は、枠部材１６の開口部１７を通してベース部材１５の衣服側基準面１５Ａ上に露出する接触面１３Ｃを有している。なお、複数の第１コンタクト１３は、ベース部材１５の裏面１５Ｂには露出していない。
【００１９】
また、複数のロック部１４は、ベース部材１５の衣服側基準面１５Ａ上に露出する複数の第１コンタクト１３の接触面１３Ｃよりも衣服側コネクタ部１１の外縁側に位置し、枠部材１６の内周縁に沿って周方向に配列されている。
第１の防水部材Ｗ１は、ベース部材１５の衣服側基準面１５Ａ上で且つ枠部材１６の開口部１７を通して露出する位置に配置され、複数の第１コンタクト１３の接触面１３Ｃを囲むように閉じられた形状を有している。
【００２０】
ベース部材１５を図４に示す。ベース部材１５には、複数の第１コンタクト１３が、円を描くように周方向に配列された状態で保持されている。それぞれの第１コンタクト１３は、図５に示されるように、ベース部材１５の周方向に沿って延びる周方向伸長部１３Ａと、周方向伸長部１３Ａに連結され且つベース部材１５の径方向に沿って延びる径方向伸長部１３Ｂから形成されている。周方向伸長部１３Ａの一端の表面に、接触面１３Ｃが形成され、この接触面１３Ｃに連続して傾斜面１３Ｄが接続され、周方向伸長部１３Ａの他端には、傾斜面１３Ｄに連続して接続される平坦面１３Ｅが形成されている。
【００２１】
このような周方向伸長部１３Ａの他端に径方向伸長部１３Ｂが連結されている。径方向伸長部１３Ｂは、周方向伸長部１３Ａの他端からベース部材１５の径方向に沿って延び、径方向伸長部１３Ｂに、屈曲形状の外部接続部１３Ｆが形成されている。
図６に示されるように、接触面１３Ｃは、ベース部材１５の衣服側基準面１５Ａに平行で且つベース部材１５の衣服側基準面１５Ａとほぼ同一高さを有し、接触面１３Ｃに連続する傾斜面１３Ｄは、接触面１３Ｃから平坦面１３Ｅに向かうほど低くなるようにベース部材１５の裏面１５Ｂ側に傾斜し、傾斜面１３Ｄに連続する平坦面１３Ｅは、ベース部材１５の衣服側基準面１５Ａに平行で且つベース部材１５の衣服側基準面１５Ａよりも裏面１５Ｂ側に下がった位置に位置している。さらに、外部接続部１３Ｆは、ベース部材１５の衣服側基準面１５Ａよりも高い位置に位置している。
【００２２】
図４に示されるように、それぞれの第１コンタクト１３の周方向伸長部１３Ａは、ベース部材１５の衣服側基準面１５Ａ上に露出し、ベース部材１５に枠部材１６を取り付けたときに、周方向伸長部１３Ａが枠部材１６の開口部１７を通して露出することとなる。また、図４に示されるように、それぞれの第１コンタクト１３の外部接続部１３Ｆは、ベース部材１５の衣服側基準面１５Ａの外縁の近傍において衣服側基準面１５Ａから露出して突出し、外部接続部１３Ｆ以外の部分の径方向伸長部１３Ｂは、ベース部材１５に埋設され、ベース部材１５の衣服側基準面１５Ａに露出していない。複数の第１コンタクト１３の外部接続部１３Ｆは、ベース部材１５に枠部材１６を取り付けたときに、枠部材１６により覆われて隠れる位置にある。
【００２３】
図７に示されるように、第１の防水部材Ｗ１は、ベース部材１５の衣服側基準面１５Ａに形成された溝１８に嵌め込まれた状態でベース部材１５に固定されると共に、衣服側基準面１５Ａ上に突出している。第１の防水部材Ｗ１は、ゴム等の弾性変形可能な材料から形成されており、衣服側コネクタ部１１にモジュール側コネクタ部３１が嵌合したときに、衣服側基準面１５Ａ上に突出している部分がモジュール側コネクタ部３１により押されて、圧縮される。
【００２４】
このような構成のベース部材１５は、絶縁性樹脂等を用いて、複数の第１コンタクト１３および第１の防水部材Ｗ１と一体に成形することができる。
例えば、まず、図８に示されるように、キャリアＣＲに連結された複数の第１コンタクト１３を用いてインサート成形することにより、図９に示されるように、絶縁性樹脂からなるベース部材１５を作製する。このとき、それぞれの第１コンタクト１３の周方向伸長部１３Ａと外部接続部１３Ｆが、ベース部材１５の衣服側基準面１５Ａから露出し、衣服側基準面１５Ａに、複数の第１コンタクト１３の周方向伸長部１３Ａを囲む環状の溝１８が形成されるように、ベース部材１５が成形される。
【００２５】
このようにしてベース部材１５を成形した後、インサート成形に用いた金型とは別の金型を使用して、原料ゴムと配合剤を混合したゴム配合物を溝１８に注入し、加硫させることで、弾性を有する第１の防水部材Ｗ１が製造される。
そして、キャリアＣＲから複数の第１コンタクト１３を切り離すことにより、図４に示したベース部材１５が作製される。
なお、金型を用いてゴム配合物を溝１８に注入する代わりに、予め、環状に成形された第１の防水部材Ｗ１を溝１８に機械的に固定することもできる。
【００２６】
図１０及び図１１に示されるように、枠部材１６は、開口部１７から外周縁に向かうほど低くなるように傾斜した表面１６Ａと、平坦な裏面１６Ｂを有し、枠部材１６に、開口部１７に向かって開くように形成された複数の切り欠き１９が、枠部材１６の内周縁に沿って周方向に配列されている。枠部材１６の周方向における複数の切り欠き１９の間隔は均等ではなく、複数の切り欠き１９は、周方向に対して回転対称とならない位置に配置されている。さらに、それぞれの切り欠き１９は、枠部材１６の表面１６Ａから裏面１６Ｂまで枠部材１６の厚さ方向の全体にわたって形成されている。
【００２７】
また、枠部材１６には、複数の切り欠き１９に対してそれぞれ周方向に隣接する位置にガイド面２０Ａが形成され、さらにガイド面２０Ａに対して周方向に隣接する位置にロック面２０Ｂが形成されている。これらのロック面２０Ｂは、枠部材１６の内周縁に沿って周方向に配列され、枠部材１６の平坦な裏面１６Ｂに対して平行で且つ枠部材１６の裏面１６Ｂよりも表面１６Ａ側に位置し、枠部材１６の裏面１６Ｂ側を向いている。また、ガイド面２０Ａは、ロック面２０Ｂに連続し、対応する切り欠き１９からロック面２０Ｂに向かうほど枠部材１６の裏面１６Ｂに近づくように傾斜している。
さらに、枠部材１６の裏面１６Ｂには、ベース部材１５の衣服側基準面１５Ａから突出する複数の第１コンタクト１３の外部接続部１３Ｆに対応する複数の嵌合孔２１が形成されている。
【００２８】
図１２に示されるように、ベース部材１５と枠部材１６の間に複数の配線部材２２を挟んでベース部材１５と枠部材１６を一体化することで、衣服側コネクタ部１１が組み立てられ、さらに、衣服を構成する上側生地２３および下側生地２４の間に衣服側コネクタ部１１を挟み込むことにより、衣服側コネクタ部１１が衣服に取り付けられる。
複数の配線部材２２は、複数の第１コンタクト１３に対応し、衣服に装着された図示しないウエアラブルデバイスに接続されているものとし、例えば、導電繊維により構成することができる。複数の配線部材２２は、ベース部材１５の衣服側基準面１５Ａに接触したときに、それぞれの配線部材２２の一端がベース部材１５の対応する外部接続部１３Ｆに重なる位置に配置されている。また、上側生地２３には、予め、枠部材１６の開口部１７よりもわずかに大きい開口部２５が形成されている。
【００２９】
複数の配線部材２２の一端にベース部材１５の複数の外部接続部１３Ｆがそれぞれ接触するように、下側生地２４と複数の配線部材２２の間にベース部材１５を配置し、ベース部材１５に枠部材１６を位置合わせして、枠部材１６をベース部材１５に向けて強く押しつける。これにより、複数の配線部材２２を挟んだまま、ベース部材１５の複数の外部接続部１３Ｆが枠部材１６の複数の嵌合孔２１にそれぞれ嵌合し、衣服に衣服側コネクタ部１１が取り付けられる。
【００３０】
このとき、複数の配線部材２２は、それぞれ、ベース部材１５の対応する外部接続部１３Ｆに接触した状態で枠部材１６の嵌合孔２１に圧入され、外部接続部１３Ｆに電気的に接続される。
また、ベース部材１５と枠部材１６を一体化することで、枠部材１６の複数のロック面２０Ｂは、ベース部材１５の衣服側基準面１５Ａに対向し、枠部材１６のロック面２０Ｂとベース部材１５の衣服側基準面１５Ａとの間にロック部１４が形成される。
【００３１】
モジュール側コネクタ部３１を図１３および図１４に示す。モジュール側コネクタ部３１は、ほぼ円形の平面形状を有するモジュール側コネクタ本体３２と、モジュール側コネクタ本体３２内に保持された複数のバネ状の第２コンタクト３３と、それぞれモジュール側コネクタ本体３２の外周部に突出形成された複数の被ロック部３４を有している。
複数の第２コンタクト３３は、衣服側コネクタ部１１の複数の第１コンタクト１３に対応して円を描くようにモジュール側コネクタ本体３２の周方向に配列されている。
【００３２】
また、モジュール側コネクタ本体３２は、環状のモジュールケース３５と、モジュールケース３５に取り付けられる円板形状の蓋部３６を有している。
環状のモジュールケース３５は、蓋部３６とは反対方向を向いた平坦な底面を有し、このモジュールケース３５の底面により、モジュール側基準面３５Ａが形成されている。また、モジュールケース３５には、複数の第２コンタクト３３に対応して、モジュール側基準面３５Ａに開口する複数の貫通孔３５Ｂが形成され、それぞれの第２コンタクト３３が、対応する貫通孔３５Ｂを通して露出している。さらに、複数の被ロック部３４は、モジュールケース３５の外周部に形成されている。
【００３３】
モジュールケース３５は、図１５および図１６に示されるように、同心円状に配置された外壁部３５Ｃと内壁部３５Ｄを有すると共に、外壁部３５Ｃの内周に沿って形成された環状の段部３５Ｅと内壁部３５Ｄの外周に沿って形成された環状の段部３５Ｆを有している。
さらに、モジュールケース３５は、外壁部３５Ｃと内壁部３５Ｄとの間に、径方向に延びる複数の仕切り壁部３５Ｇを有しており、これら外壁部３５Ｃと内壁部３５Ｄと複数の仕切り壁部３５Ｇにより、複数の貫通孔３５Ｂに対応して、周方向に配列された複数の第２コンタクト収容室３５Ｈが形成されている。
なお、環状の段部３５Ｅおよび３５Ｆと複数の仕切り壁部３５Ｇの上面は、互いに同一面を形成している。
【００３４】
図１７に示されるように、複数の第２コンタクト３３は、基板３７に実装され、基板３７が、弾性変形可能な防水用ゴムリング（第３の防水部材）３８を介してモジュールケース３５内に収容され、モジュールケース３５に蓋部３６が取り付けられる。
防水用ゴムリング３８は、モジュールケース３５の環状の段部３５Ｅおよび３５Ｆと複数の仕切り壁部３５Ｇの上面に対応する形状を有し、モジュールケース３５の複数の第２コンタクト収容室３５Ｈに対応する複数の開口３８Ａを有している。
基板３７に実装された複数の第２コンタクト３３は、防水用ゴムリング３８の複数の開口３８Ａを通して、モジュールケース３５の複数の第２コンタクト収容室３５Ｈに収容される。
【００３５】
図１８に示されるように、それぞれの第２コンタクト３３は、モジュール側基準面３５Ａに直交する方向に変位可能な接触部３３Ａを有しており、この接触部３３Ａがモジュールケース３５の対応する貫通孔３５Ｂを通して、モジュール側基準面３５Ａから突出している。
なお、モジュールケース３５に蓋部３６を取り付けることで、防水用ゴムリング３８が、基板３７とモジュールケース３５の環状の段部３５Ｅおよび３５Ｆと複数の仕切り壁部３５Ｇの上面との間に挟まれて弾性的に圧縮され、これにより、複数の第２コンタクト３３は、互いに区分されて分離され、互いに隣接する第２コンタクト３３の間での浸水による短絡が防止される。第２コンタクト３３の接触部３３Ａは、露出しているので、接触部３３Ａの水漏れ自体を防止することはできないが、隣接する第２コンタクト３３の間での短絡による故障、電池消耗を防止することができる。
【００３６】
また、複数の被ロック部３４は、衣服側コネクタ部１１の複数の切り欠き１９に対応する位置、すなわち、モジュールケース３５の周方向に対して回転対称とならない位置に形成されており、複数の第２コンタクト３３の接触部３３Ａよりもモジュール側コネクタ部３１の外縁側に配置されている。
さらに、蓋部３６の上部に、衣服側コネクタ部１１に対してモジュール側コネクタ部３１を回転させるためのつまみ３６Ａが形成されている。
なお、衣服側コネクタ部１１の複数の第１コンタクト１３は、例えば、ステンレス、洋白（銅、亜鉛、ニッケルの合金）等から形成することができ、モジュール側コネクタ部３１の複数の第２コンタクト３３は、例えば、洋白、銅等から形成することができる。また、複数の第２コンタクト３３が実装される基板３７に、衣服に装着された図示しないウエアラブルデバイスに接続される回路モジュール等を搭載することができる。
【００３７】
また、衣服側コネクタ部１１において、複数の第１コンタクト１３、複数のロック部１４、枠部材１６の開口部１７、複数の切り欠き１９および第１の防水部材Ｗ１は、いずれも同心円状に配置され、モジュール側コネクタ部３１においても、モジュール側コネクタ本体３２の円形の外縁、複数の第２コンタクト３３および複数の被ロック部３４は、いずれも同心円状に配置されている。さらに、衣服側コネクタ部１１の複数の第１コンタクト１３の接触面１３Ｃが配置されている円の半径と、モジュール側コネクタ部３１の複数の第２コンタクト３３の接触部３３Ａが配置されている円の半径は、互いに等しい値に設定されている。
そして、モジュール側コネクタ部３１を衣服側コネクタ部１１の枠部材１６の開口部１７内に挿入した状態で、モジュール側コネクタ部３１を衣服側コネクタ部１１の同心円の中心の回りに回転スライドさせることができるように構成されている。
【００３８】
衣服側コネクタ部１１にモジュール側コネクタ部３１を嵌合する際には、まず、モジュール側コネクタ部３１の複数の被ロック部３４が衣服側コネクタ部１１の複数の切り欠き１９の直上に位置するように、衣服側コネクタ部１１とモジュール側コネクタ部３１とを位置合わせしてモジュール側コネクタ部３１を衣服側コネクタ部１１に重ね合わせ、図１９に示されるように、衣服側コネクタ部１１の複数の切り欠き１９にモジュール側コネクタ部３１の複数の被ロック部３４を挿入する。
【００３９】
このとき、図２０に示されるように、モジュール側コネクタ部３１の第２コンタクト３３は、モジュール側基準面３５Ａから下方に突出しているが、衣服側コネクタ部１１の第１コンタクト１３の平坦面１３Ｅが、ベース部材１５の衣服側基準面１５Ａよりも裏面１５Ｂ側に下がった位置に位置しているため、モジュール側コネクタ部３１の第２コンタクト３３の接触部３３Ａは、衣服側コネクタ部１１の第１コンタクト１３の平坦面１３Ｅに近接するものの接触しない状態、あるいは、第１コンタクト１３の平坦面１３Ｅに接触したとしても、第２コンタクト３３が弾性変形しない程度に微かに接触する状態となる。
【００４０】
また、図２１に示されるように、衣服側コネクタ部１１の切り欠き１９に挿入されたモジュール側コネクタ部３１の被ロック部３４は、衣服側コネクタ部１１のロック面２０Ｂとベース部材１５の衣服側基準面１５Ａとの間に形成されているロック部１４から周方向に離れた位置にある。
さらに、このとき、モジュール側コネクタ部３１のモジュール側基準面３５Ａは、衣服側コネクタ部１１の衣服側基準面１５Ａ上に突出する第１の防水部材Ｗ１に接触した状態となる。
【００４１】
これら衣服側コネクタ部１１の衣服側基準面１５Ａとモジュール側コネクタ部３１のモジュール側基準面３５Ａは、それぞれ、衣服側コネクタ部１１とモジュール側コネクタ部３１を嵌合する際の嵌合面を形成するものである。
このように、衣服側コネクタ部１１の複数の切り欠き１９にモジュール側コネクタ部３１の複数の被ロック部３４を挿入したときのモジュール側コネクタ部３１の回転位置を、図１９に示されるように、第１の位置Ｐ１とする。
【００４２】
モジュール側コネクタ部３１が第１の位置Ｐ１に位置する状態から、モジュール側コネクタ部３１のつまみ３６Ａを操作することにより、衣服側コネクタ部１１に対しモジュール側コネクタ部３１を嵌合面に沿って回転スライドさせると、衣服側コネクタ部１１の第１コンタクト１３の平坦面１３Ｅの直上に位置していたモジュール側コネクタ部３１のバネ状の第２コンタクト３３の接触部３３Ａが、第１コンタクト１３の傾斜面１３Ｄに接触して次第に弾性変形することとなる。
【００４３】
さらに、モジュール側コネクタ部３１のつまみ３６Ａを操作して、図２２に示されるように、モジュール側コネクタ部３１を第２の位置Ｐ２まで回転スライドさせると、図２３に示されるように、モジュール側コネクタ部３１のバネ状の第２コンタクト３３の接触部３３Ａが衣服側コネクタ部１１の第１コンタクト１３の傾斜面１３Ｄから接触面１３Ｃに移動し、第１コンタクト１３の接触面１３Ｃに所定の接触圧で接触する。これにより、衣服側コネクタ部１１の複数の第１コンタクト１３とモジュール側コネクタ部３１の複数の第２コンタクト３３は、互いに電気的に接続され、衣服側コネクタ部１１とモジュール側コネクタ部３１は嵌合状態となる。
【００４４】
また、モジュール側コネクタ部３１が第１の位置Ｐ１から第２の位置Ｐ２まで回転スライドされる際に、モジュール側コネクタ部３１の被ロック部３４が、まず、衣服側コネクタ部１１のガイド面２０Ａに接触する。ここで、ガイド面２０Ａは、切り欠き１９からロック面２０Ｂに向かうほど枠部材１６の裏面１６Ｂに近づくように傾斜しているため、モジュール側コネクタ部３１の回転スライドに伴って、被ロック部３４は、ガイド面２０Ａから、ベース部材１５に向かって次第に大きな力を受け、モジュール側コネクタ部３１が衣服側コネクタ部１１の衣服側基準面１５Ａに向かって押しつけられる。その結果、衣服側コネクタ部１１の第１の防水部材Ｗ１が、モジュール側コネクタ部３１のモジュール側基準面３５Ａにより押されて圧縮される。
【００４５】
そして、モジュール側コネクタ部３１が第２の位置Ｐ２に位置すると、図２４に示されるように、モジュール側コネクタ部３１の被ロック部３４が、衣服側コネクタ部１１のロック面２０Ｂに接触し、ロック面２０Ｂとベース部材１５の衣服側基準面１５Ａとの間に形成されているロック部１４に挿入される。これにより、モジュール側コネクタ部３１が衣服側コネクタ部１１から離れる方向に脱落することが防止され、嵌合状態がロックされる。また、衣服側コネクタ部１１の第１の防水部材Ｗ１が圧縮されることにより、互いに接触する衣服側コネクタ部１１の第１コンタクト１３の接触面１３Ｃとモジュール側コネクタ部３１の第２コンタクト３３の接触部３３Ａへの水の浸入が防止される。
【００４６】
さらに、衣服側コネクタ部１１とモジュール側コネクタ部３１の嵌合時には、衣服側コネクタ部１１の第１の防水部材Ｗ１が圧縮されるため、第１の防水部材Ｗ１の弾性変形の反力により、モジュール側コネクタ部３１の被ロック部３４が、ロック面２０Ｂに向けて押し付けられ、衣服側コネクタ部１１とモジュール側コネクタ部３１は、嵌合状態にロックされる。
衣服側コネクタ部１１とモジュール側コネクタ部３１の嵌合を解消するには、モジュール側コネクタ部３１を衣服側コネクタ部１１に向けて押しつけ、モジュール側コネクタ部３１を第１の位置Ｐ１へと回転スライドさせればよい。
【００４７】
なお、衣服側コネクタ部１１の複数の切り欠き１９およびモジュール側コネクタ部３１の複数の被ロック部３４は、それぞれ、周方向に対して回転対称とならない位置に配置されているので、モジュール側コネクタ部３１は、衣服側コネクタ部１１に対して常に規定された回転位置で嵌合することとなり、誤った回転位置での嵌合が防止される。
【００４８】
このように、モジュール側コネクタ部３１を衣服側コネクタ部１１に重ね合わせて第１の位置Ｐ１から第２の位置Ｐ２まで嵌合面に沿って回転スライドさせるだけで、モジュール側コネクタ部３１の複数のバネ状の第２コンタクト３３の接触部３３Ａが衣服側コネクタ部１１の複数の板状の第１コンタクト１３の接触面１３Ｃにそれぞれ接触して電気的に接続され、また、モジュール側コネクタ部３１の被ロック部３４が衣服側コネクタ部１１のロック部１４のロック面２０Ｂに接触して、モジュール側コネクタ部３１を衣服側コネクタ部１１に嵌合させることができる。このため、ウエアラブルデバイスの小型化および薄型化が達成されると共に、従来のスナップボタン型コネクタのように衣服の上から身体に向かってスナップボタンを強く押し付ける必要がなく、コネクタの接続時に身体にかかる負荷を軽減することが可能となる。
【００４９】
また、衣服側コネクタ部１１の第１コンタクト１３が、接触面１３Ｃに連続する傾斜面１３Ｄを有しているので、衣服側コネクタ部１１とモジュール側コネクタ部３１の嵌合時に、モジュール側コネクタ部３１の第２コンタクト３３が、衣服側コネクタ部１１の第１コンタクト１３の傾斜面１３Ｄに対してワイピングしながら接触して接触面１３Ｃに至ることとなる。このため、第１コンタクト１３と第２コンタクト３３の間で異物による導通不良を引き起こすおそれを効果的に回避することができる。
【００５０】
さらに、衣服側コネクタ部１１の衣服側基準面１５Ａ上に、複数の第１コンタクト１３の接触面１３Ｃを囲むように閉じられた形状を有する弾性変形可能な第１の防水部材Ｗ１が配置されているので、衣服側コネクタ部１１とモジュール側コネクタ部３１の嵌合時に第１の防水部材Ｗ１が圧縮され、衣服側コネクタ部１１の第１コンタクト１３の接触面１３Ｃとモジュール側コネクタ部３１の第２コンタクト３３の接触部３３Ａへの水の浸入を防止することができる。
【００５１】
また、衣服側コネクタ部１１の枠部材１６が、ロック面２０Ｂに連続し且つ傾斜するガイド面２０Ａを有しているので、モジュール側コネクタ部３１を第１の位置Ｐ１から第２の位置Ｐ２まで回転スライドさせる際に、ガイド面２０Ａから、モジュール側コネクタ部３１の被ロック部３４に次第に大きな力を付与して、モジュール側コネクタ部３１を衣服側コネクタ部１１の衣服側基準面１５Ａに向けて押しつけ、衣服側コネクタ部１１の第１の防水部材Ｗ１を圧縮することができる。このため、第１の防水部材Ｗ１による防水効果を効果的に得ることが可能となる。
【００５２】
なお、衣服側コネクタ部１１の枠部材１６が、ロック面２０Ｂに連続するガイド面２０Ａを有する代わりに、嵌合面となる衣服側基準面１５Ａに対して傾斜するロック面を切り欠き１９に隣接して配置することもできる。このようにしても、衣服側コネクタ部１１とモジュール側コネクタ部３１の嵌合状態をロックすると共に、第１の防水部材Ｗ１を圧縮させて、衣服側コネクタ部１１の第１コンタクト１３の接触面１３Ｃとモジュール側コネクタ部３１の第２コンタクト３３の接触部３３Ａへの水の浸入を防止することができる。
【００５３】
実施の形態２
上記の実施の形態１では、モジュール側コネクタ部３１のバネ状の第２コンタクト３３の接触部３３Ａがモジュール側基準面３５Ａから突出し、これに対応して、衣服側コネクタ部１１の第１コンタクト１３の接触面１３Ｃがベース部材１５の衣服側基準面１５Ａとほぼ同一高さを有すると共に平坦面１３Ｅがベース部材１５の衣服側基準面１５Ａよりも裏面１５Ｂ側に下がった位置に位置しているが、これに限るものではない。
【００５４】
図２５に実施の形態２に係るスライド型コネクタを構成する衣服側コネクタ部４１とモジュール側コネクタ部５１を示す。衣服側コネクタ部４１は、実施の形態１で用いられた衣服側コネクタ部１１において、ベース部材１５の代わりにベース部材４５を用い、第１コンタクト１３の代わりに第１コンタクト４３を用いたものである。ベース部材４５に保持される第１コンタクト４３を図２６に示す。第１コンタクト４３は、実施の形態１で用いられた第１コンタクト１３と同様に、周方向伸長部１３Ａと、周方向伸長部１３Ａに連結された径方向伸長部１３Ｂと、径方向伸長部１３Ｂに形成された外部接続部１３Ｆを有しているが、径方向伸長部１３Ｂが、傾斜面４３Ｇを介して周方向伸長部１３Ａの平坦面１３Ｅに接続されている。周方向伸長部１３Ａにおける傾斜面１３Ｄは、接触面１３Ｃから平坦面１３Ｅに向かうほど低くなるように傾斜しており、傾斜面４３Ｇは、平坦面１３Ｅから径方向伸長部１３Ｂに向かうほど低くなるように傾斜している。
図２７に示されるように、第１コンタクト４３の接触面１３Ｃがベース部材４５の衣服側基準面４５Ａよりも高い位置に位置し、接触面１３Ｃに連続する傾斜面１３Ｄが接触面１３Ｃから平坦面１３Ｅに向かうほど低くなるように傾斜し、傾斜面１３Ｄに連続する平坦面１３Ｅがベース部材４５の衣服側基準面４５Ａとほぼ同一高さに配置されている。また、周方向伸長部１３Ａの平坦面１３Ｅと径方向伸長部１３Ｂとを接続する傾斜面４３Ｇは、平坦面１３Ｅから径方向伸長部１３Ｂに向かうほど低くなるように傾斜しており、これにより、傾斜面４３Ｇと径方向伸長部１３Ｂは、ベース部材４５の衣服側基準面４５Ａに露出することなく、ベース部材４５内に埋め込まれている。
このようなベース部材４５と複数の第１コンタクト４３以外は、衣服側コネクタ部４１は、実施の形態１における衣服側コネクタ部１１と同様の構成を有している。
【００５５】
実施の形態２に係るスライド型コネクタのモジュール側コネクタ部５１は、図２８〜３０に示されるように、環状のモジュールケース５５を有し、モジュールケース５５の底面により、モジュール側基準面５５Ａが形成されている。このモジュール側基準面５５Ａに環状の溝Ｇが形成され、溝Ｇ内に複数の貫通孔５５Ｂが形成されている。そして、複数のバネ状の第２コンタクト３３の接触部３３Ａが、複数の貫通孔５５Ｂを通して溝Ｇの底面から突出するものの、モジュール側基準面５５Ａからは突出しないような高さに配置されている。
モジュールケース５５が溝Ｇを有する点およびモジュールケース５５に対する第２コンタクト３３の配置高さ以外は、モジュール側コネクタ部５１は、実施の形態１におけるモジュール側コネクタ部３１と同様の構成を有している。
【００５６】
衣服側コネクタ部４１にモジュール側コネクタ部５１を嵌合する際には、まず、衣服側コネクタ部４１とモジュール側コネクタ部５１とを位置合わせしてモジュール側コネクタ部５１を衣服側コネクタ部４１に重ね合わせる。このとき、図３１に示されるように、第１コンタクト４３の接触面１３Ｃがモジュールケース５５の溝Ｇに挿入され、第１コンタクト４３の平坦面１３Ｅはベース部材４５の衣服側基準面４５Ａとほぼ同一高さに位置しているが、モジュール側コネクタ部５１の第２コンタクト３３の接触部３３Ａがモジュール側基準面５５Ａから下方に突出していないので、第２コンタクト３３は、第１コンタクト４３の平坦面１３Ｅに近接するものの接触しない状態、あるいは、第１コンタクト４３の平坦面１３Ｅに接触したとしても、第２コンタクト３３が弾性変形しない程度に微かに接触する状態となる。
【００５７】
また、図３２に示されるように、衣服側コネクタ部４１の切り欠き１９に挿入されたモジュール側コネクタ部５１の被ロック部３４は、衣服側コネクタ部４１のロック面２０Ｂとベース部材４５の衣服側基準面４５Ａとの間に形成されているロック部１４から周方向に離れた位置にある。
さらに、このとき、モジュール側コネクタ部５１のモジュール側基準面５５Ａは、衣服側コネクタ部４１の衣服側基準面４５Ａ上に突出する第１の防水部材Ｗ１に接触した状態となる。
【００５８】
衣服側コネクタ部４１に対しモジュール側コネクタ部５１を嵌合面に沿って回転スライドさせると、モジュール側コネクタ部５１のバネ状の第２コンタクト３３の接触部３３Ａが衣服側コネクタ部４１の第１コンタクト４３の傾斜面１３Ｄに接触して次第に弾性変形することとなる。
さらに、モジュール側コネクタ部５１を回転スライドさせると、図３３に示されるように、モジュール側コネクタ部５１のバネ状の第２コンタクト３３の接触部３３Ａが衣服側コネクタ部４１の第１コンタクト４３の傾斜面１３Ｄから接触面１３Ｃに移動し、弾性変形して第１コンタクト４３の接触面１３Ｃに所定の接触圧で接触する。これにより、衣服側コネクタ部４１の複数の第１コンタクト４３とモジュール側コネクタ部５１の複数の第２コンタクト３３は、互いに電気的に接続され、衣服側コネクタ部４１とモジュール側コネクタ部５１は嵌合状態となる。
【００５９】
モジュール側コネクタ部５１の回転スライドに伴って、モジュール側コネクタ部５１の被ロック部３４は、衣服側コネクタ部４１のガイド面２０Ａから、ベース部材１５に向かう力を受け、モジュール側コネクタ部５１が衣服側コネクタ部４１の衣服側基準面４５Ａに向かって押しつけられる。その結果、衣服側コネクタ部４１の第１の防水部材Ｗ１が、モジュール側コネクタ部５１のモジュール側基準面５５Ａにより押されて圧縮される。
そして、衣服側コネクタ部４１とモジュール側コネクタ部５１が嵌合状態になると、図３４に示されるように、モジュール側コネクタ部５１の被ロック部３４が、衣服側コネクタ部４１のロック面２０Ｂに接触してロック部１４に挿入され、嵌合状態がロックされる。また、衣服側コネクタ部４１の第１の防水部材Ｗ１が圧縮されることにより、互いに接触する衣服側コネクタ部４１の第１コンタクト４３の接触面１３Ｃとモジュール側コネクタ部５１の第２コンタクト３３の接触部３３Ａへの水の浸入が防止される。
【００６０】
このように、モジュール側コネクタ部５１の複数のバネ状の第２コンタクト３３の接触部３３Ａがモジュール側基準面５５Ａから突出しない構成としても、実施の形態１と同様に、モジュール側コネクタ部５１を衣服側コネクタ部４１に対して回転スライドさせるだけで衣服側コネクタ部４１に嵌合させることができ、ウエアラブルデバイスの小型化および薄型化が達成されると共に、コネクタの接続時に身体にかかる負荷を軽減することが可能となる。
また、衣服側コネクタ部４１とモジュール側コネクタ部５１の嵌合時に、第１の防水部材Ｗ１が圧縮され、衣服側コネクタ部４１の第１コンタクト４３の接触面１３Ｃとモジュール側コネクタ部５１の第２コンタクト３３の接触部３３Ａへの水の浸入を防止することができる。
【００６１】
実施の形態３
上記の実施の形態１では、衣服側コネクタ部１１の衣服側基準面１５Ａ上に、複数の第１コンタクト１３の接触面１３Ｃを囲む第１の防水部材Ｗ１が配置されているが、これに限るものではない。
実施の形態３においては、図３５に示されるように、衣服側コネクタ部６１は、衣服側基準面６１Ａ上に第１の防水部材Ｗ１を有しておらず、図３６に示されるように、モジュール側コネクタ部６２のモジュール側基準面６２Ａ上に、複数のバネ状の第２コンタクト３３の接触部３３Ａを囲むように閉じられた形状を有する第２の防水部材Ｗ２が配置されている。図３７に示されるように、第２の防水部材Ｗ２は、モジュール側基準面６２Ａ上に突出している。
【００６２】
衣服側コネクタ部６１は、衣服側基準面６１Ａ上に第１の防水部材Ｗ１を有しない点以外は、実施の形態１における衣服側コネクタ部１１と同様の構成を有しており、モジュール側コネクタ部６２は、モジュール側基準面６２Ａ上に配置された第２の防水部材Ｗ２を有する以外は、実施の形態１におけるモジュール側コネクタ部３１と同様の構成を有している。
このような構成としても、実施の形態１のスライド型コネクタと同様に、衣服側コネクタ部６１とモジュール側コネクタ部６２の嵌合時に、モジュール側コネクタ部６２のモジュール側基準面６２Ａ上に配置された第２の防水部材Ｗ２が、衣服側コネクタ部６１の衣服側基準面６１Ａにより押されて圧縮され、衣服側コネクタ部６１の第１コンタクト１３の接触面１３Ｃとモジュール側コネクタ部６２の第２コンタクト３３の接触部３３Ａへの水の浸入を防止することが可能となる。
【００６３】
実施の形態４
上述した実施の形態２のように、複数のバネ状の第２コンタクト３３の接触部３３Ａがモジュール側コネクタ部５１のモジュール側基準面５５Ａから突出しない構成のスライド型コネクタに対しても、実施の形態３と同様に、モジュール側コネクタ部に第２の防水部材Ｗ２を配置することができる。
図３８に、実施の形態４に係るスライド型コネクタに用いられるモジュール側コネクタ部６３を示す。モジュール側コネクタ部６３のモジュール側基準面６３Ａに、環状の溝Ｇが形成されると共に、複数のバネ状の第２コンタクト３３の接触部３３Ａが、溝Ｇの底面から突出するように配置されている。さらに、モジュール側コネクタ部６３のモジュール側基準面６３Ａに、複数のバネ状の第２コンタクト３３の接触部３３Ａを囲むように閉じられた形状を有する第２の防水部材Ｗ２が配置されている。図３９に示されるように、第２の防水部材Ｗ２は、モジュール側基準面６３Ａ上に突出している。
【００６４】
このモジュール側コネクタ部６３は、モジュール側基準面６３Ａ上に配置された第２の防水部材Ｗ２を有する以外は、実施の形態２におけるモジュール側コネクタ部５１と同様の構成を有している。
図示しないが、実施の形態４のスライド型コネクタに用いられる衣服側コネクタ部は、第１の防水部材Ｗ１を有しない点以外は、実施の形態２における衣服側コネクタ部４１と同様の構成を有している。
【００６５】
このような構成としても、実施の形態２のスライド型コネクタと同様に、衣服側コネクタ部とモジュール側コネクタ部６３の嵌合時に、モジュール側コネクタ部６３のモジュール側基準面６３Ａ上に配置された第２の防水部材Ｗ２が、衣服側コネクタ部の衣服側基準面により押されて圧縮され、衣服側コネクタ部の第１コンタクト４３の接触面１３Ｃとモジュール側コネクタ部６３の第２コンタクト３３の接触部３３Ａへの水の浸入を防止することが可能となる。
【００６６】
なお、上記の実施の形態１〜４において、第１コンタクト１３、４３および第２コンタクト３３は、図示された個数に限定されるものではなく、複数の第１コンタクト１３、４３および複数の第２コンタクト３３を備えていればよい。
また、上記の実施の形態１〜４では、複数の第１コンタクト１３、４３および複数の第２コンタクト３３が、円を描くように配列されているが、円の一部である円弧を描くように配列されていてもよい。
【００６７】
実施の形態５
上記の実施の形態１〜４では、衣服側コネクタ部１１、４１、６１に対してモジュール側コネクタ部３１、５１、６２、６３を回転スライドさせることで嵌合状態としているが、これに限るものではない。
図４０に実施の形態５に係るスライド型コネクタの構成を示す。このスライド型コネクタは、衣服に取り付けられる衣服側コネクタ部７１と、衣服側コネクタ部７１に対して直線的にスライドさせることで嵌合するモジュール側コネクタ部８１を備えている。
【００６８】
衣服側コネクタ部７１は、矩形の衣服側コネクタ本体７２と、衣服側コネクタ本体７２に直線状に配列された複数の板状の第１コンタクト７３と、衣服側コネクタ本体７２に形成された複数のロック部７４を有している。
衣服側コネクタ本体７２は、矩形の板状のベース部材７５と、ベース部材７５の表面からなる衣服側基準面７５Ａの外縁に取り付けられている矩形の枠形状の枠部材７６を有している。枠部材７６の中央に矩形の開口部７７が形成され、複数の第１コンタクト７３は、それぞれ一部が枠部材７６の開口部７７を通してベース部材７５の衣服側基準面７５Ａ上に露出している。また、複数のロック部７４は、複数の第１コンタクト７３よりも衣服側コネクタ部７１の外縁側に位置し、枠部材７６の内周縁に沿って配列されている。
【００６９】
それぞれの第１コンタクト７３は、実施の形態１における第１コンタクト１３と同様に、接触面と、接触面に連続する傾斜面と、傾斜面に連続する平坦面を有し、これらの接触面、傾斜面および平坦面がベース部材７５の衣服側基準面７５Ａ上に露出している。また、第１コンタクト７３は、ベース部材７５の衣服側基準面７５Ａの外縁に突出して枠部材７６により覆われる、図示しない外部接続部を有している。
枠部材７６には、開口部７７に向かって開くように形成された複数の切り欠き７９が配列されており、それぞれの切り欠き７９に隣接する位置にロック面７４Ａが形成されている。また、複数の切り欠き７９は、枠部材７６の内周縁に沿って回転対称とならない位置に配置されている。
【００７０】
モジュール側コネクタ部８１は、矩形の箱状のモジュール側コネクタ本体８２を有しており、モジュール側コネクタ本体８２は、モジュールケース８５と、モジュールケース８５に取り付けられる板形状の蓋部８６から形成されている。モジュールケース８５の側面には、複数の被ロック部８４が突出形成されている。複数の被ロック部８４は、衣服側コネクタ部７１の複数の切り欠き７９に対応する位置、すなわち、モジュールケース８５の外周縁に沿って回転対称とならない位置に配置されている。
【００７１】
また、図４１に示されるように、モジュールケース８５には、モジュールケース８５の平坦な底面からなるモジュール側基準面８５Ａに開口する複数の貫通孔８５Ｂが形成されている。そして、モジュール側コネクタ本体８２内に保持されている複数の第２コンタクト３３の接触部３３Ａが、対応する貫通孔８５Ｂを通して、モジュール側基準面８５Ａから突出している。複数の第２コンタクト３３の接触部３３Ａは、衣服側コネクタ部７１の複数の第１コンタクト７３に対応して配列されており、それぞれ、モジュール側基準面８５Ａに直交する方向に変位可能に構成されている。
さらに、モジュール側コネクタ部８１のモジュール側基準面８５Ａ上に、複数のバネ状の第２コンタクト３３の接触部３３Ａを囲むように閉じられた形状を有する第２の防水部材Ｗ２が配置されている。第２の防水部材Ｗ２は、モジュール側基準面８５Ａ上に突出している。
【００７２】
このようなモジュール側コネクタ部８１を衣服側コネクタ部７１に重ね合わせ、図４２に示されるように、衣服側コネクタ部７１の複数の切り欠き７９にモジュール側コネクタ部８１の複数の被ロック部８４を挿入して、モジュール側コネクタ部８１を第１の位置Ｐ１に位置させる。このとき、モジュール側コネクタ部８１の第２コンタクト３３の接触部３３Ａは、衣服側コネクタ部７１の第１コンタクト７３の平坦面に対向した状態にあり、まだ、衣服側コネクタ部７１の第１コンタクト７３に接続されていない。
【００７３】
図４３に示されるように、モジュール側コネクタ部８１を衣服側コネクタ部７１に対して第１の位置Ｐ１から第２の位置Ｐ２まで直線的にスライドさせると、モジュール側コネクタ部８１のバネ状の第２コンタクト３３の接触部３３Ａが衣服側コネクタ部７１の第１コンタクト７３の傾斜面を介して接触面に移動し、接触面に所定の接触圧で接触する。これにより、衣服側コネクタ部７１の複数の第１コンタクト７３とモジュール側コネクタ部８１の複数の第２コンタクト３３は、互いに電気的に接続され、衣服側コネクタ部７１とモジュール側コネクタ部８１は嵌合状態となる。
【００７４】
モジュール側コネクタ部８１が第２の位置Ｐ２に位置すると、モジュール側コネクタ部８１の被ロック部８４が、衣服側コネクタ部７１のロック面７４Ａとベース部材７５の衣服側基準面７５Ａとの間に形成されているロック部７４に挿入され、衣服側コネクタ部７１とモジュール側コネクタ部８１の嵌合状態がロックされる。
また、衣服側コネクタ部７１とモジュール側コネクタ部８１が嵌合状態になると、モジュール側コネクタ部８１のモジュール側基準面８５Ａ上に配置された第２の防水部材Ｗ２が、衣服側コネクタ部７１の衣服側基準面７５Ａに押し付けられて圧縮され、衣服側コネクタ部７１の第１コンタクト７３の接触面とモジュール側コネクタ部８１の第２コンタクト３３の接触部３３Ａへの水の浸入が防止される。
【００７５】
なお、衣服側コネクタ部７１の複数の切り欠き７９は、枠部材７６の内周縁に沿って回転対称とならない位置に配置され、モジュール側コネクタ部８１の複数の被ロック部８４は、モジュールケース８５の外周縁に沿って回転対称とならない位置に配置されているので、モジュール側コネクタ部８１は、衣服側コネクタ部７１に対して常に規定された回転位置で嵌合することとなり、誤った向きでの嵌合が防止される。
【００７６】
このように、モジュール側コネクタ部８１を衣服側コネクタ部７１に対して直線的にスライドさせる構成としても、実施の形態１〜４と同様に、モジュール側コネクタ部８１を衣服側コネクタ部７１に対してスライドさせるだけで衣服側コネクタ部７１に嵌合させることができ、ウエアラブルデバイスの小型化および薄型化が達成されると共に、コネクタの接続時に身体にかかる負荷を軽減することが可能となり、また、第２の防水部材Ｗ２の存在により、衣服側コネクタ部７１の第１コンタクト７３の接触面とモジュール側コネクタ部８１の第２コンタクト３３の接触部３３Ａへの水の浸入を防止することができる。
【００７７】
なお、実施の形態１における衣服側コネクタ部１１と同様に、衣服側コネクタ部７１が、ロック面７４Ａと切り欠き７９との間に衣服側基準面７５Ａに対して傾斜するガイド面を有していてもよい。あるいは、衣服側基準面７５Ａに対して傾斜するロック面を切り欠き７９に隣接して配置することもできる。このようにすれば、モジュール側コネクタ部８１を第１の位置Ｐ１から第２の位置Ｐ２まで直線的にスライドさせることで、モジュール側コネクタ部８１を衣服側コネクタ部７１の衣服側基準面７５Ａに向けて次第に大きな力で押しつけて、第２の防水部材Ｗ２を圧縮することができる。
また、衣服側コネクタ部７１およびモジュール側コネクタ部８１は、それぞれ複数の第１コンタクト７３および複数の第２コンタクト３３を有していればよく、第１コンタクト７３および第２コンタクト３３の個数に限定されるものではない。
【符号の説明】
【００７８】
１  第１の布、２  雄型スナップボタン、３  第２の布、４  雌型スナップボタン、５  凸部、６  凹部、７  棒状ばね、１１，４１，６１，７１  衣服側コネクタ部、１２，７２  衣服側コネクタ本体、１３，４３，７３  第１コンタクト、１３Ａ  周方向伸長部、１３Ｂ  径方向伸長部、１３Ｃ  接触面、１３Ｄ  傾斜面、１３Ｅ  平坦面、１３Ｆ  外部接続部、１４，７４  ロック部、１５，４５，７５  ベース部材、１５Ａ，４５Ａ，６１Ａ，７５Ａ  衣服側基準面、１５Ｂ  裏面、１６，７６  枠部材、１６Ａ  表面、１６Ｂ  裏面、１７，７７  開口部、１８，Ｇ  溝、１９，７９  切り欠き、２０Ａ  ガイド面、２０Ｂ，７４Ａ  ロック面、２１  嵌合孔、２２  配線部材、２３  上側生地、２４  下側生地、２５  開口部、３１，５１，６２，６３，８１  モジュール側コネクタ部、３２，８２  モジュール側コネクタ本体、３３  第２コンタクト、３３Ａ  接触部、３４，８４  被ロック部、３５，５５，８５  モジュールケース、３５Ａ，５５Ａ，６２Ａ，６３Ａ，８５Ａ  モジュール側基準面、３５Ｂ，５５Ｂ，８５Ｂ  貫通孔、３５Ｃ  外壁部、３５Ｄ  内壁部、３５Ｅ，３５Ｆ  段部、３５Ｇ  仕切り壁部、３５Ｈ  第２コンタクト収容室、３６，８６  蓋部、３６Ａ  つまみ、３７  基板、３８  防水用ゴムリング、３８Ａ  開口、４３Ｇ  傾斜部、Ｗ１  第１の防水部材、Ｗ２  第２の防水部材、ＣＲ  キャリア、Ｐ１  第１の位置、Ｐ２  第２の位置。
【図１】
2018101503.tif 000003
【図２】
2018101503.tif 000004
【図３】
2018101503.tif 000005
【図４】
2018101503.tif 000006
【図５】
2018101503.tif 000007
【図６】
2018101503.tif 000008
【図７】
2018101503.tif 000009
【図８】
2018101503.tif 000010
【図９】
2018101503.tif 000011
【図１０】
2018101503.tif 000012
【図１１】
2018101503.tif 000013
【図１２】
2018101503.tif 000014
【図１３】
2018101503.tif 000015
【図１４】
2018101503.tif 000016
【図１５】
2018101503.tif 000017
【図１６】
2018101503.tif 000018
【図１７】
2018101503.tif 000019
【図１８】
2018101503.tif 000020
【図１９】
2018101503.tif 000021
【図２０】
2018101503.tif 000022
【図２１】
2018101503.tif 000023
【図２２】
2018101503.tif 000024
【図２３】
2018101503.tif 000025
【図２４】
2018101503.tif 000026
【図２５】
2018101503.tif 000027
【図２６】
2018101503.tif 000028
【図２７】
2018101503.tif 000029
【図２８】
2018101503.tif 000030
【図２９】
2018101503.tif 000031
【図３０】
2018101503.tif 000032
【図３１】
2018101503.tif 000033
【図３２】
2018101503.tif 000034
【図３３】
2018101503.tif 000035
【図３４】
2018101503.tif 000036
【図３５】
2018101503.tif 000037
【図３６】
2018101503.tif 000038
【図３７】
2018101503.tif 000039
【図３８】
2018101503.tif 000040
【図３９】
2018101503.tif 000041
【図４０】
2018101503.tif 000042
【図４１】
2018101503.tif 000043
【図４２】
2018101503.tif 000044
【図４３】
2018101503.tif 000045
【図４４】
2018101503.tif 000046